(57)【要約】【課題】機能性を高め得る。【解決手段】現金自動取引装置１は、紙幣の少なくとも２箇所に付された記番号を含む画像である記番号画像を読み取る記番号読取部４０と、記番号画像から記番号を識別し記番号識別結果を取得する記番号情報生成部４２と、記番号情報生成部４２における記番号識別結果に基づいて１枚の紙幣に対して１又は複数の記番号識別結果を登録する記番号情報登録部４４とを設ける。【選択図】図６
2015191501.tif 000002
【特許請求の範囲】
【請求項１】
紙幣の少なくとも２箇所に付された記番号を含む画像である記番号画像を読み取る読取部と、
前記記番号画像から記番号を識別し記番号識別結果を取得する識別部と、
前記識別部における前記記番号識別結果に基づいて前記紙幣に対して１又は複数の記番号識別結果を登録する登録部と
有する紙幣処理装置。
【請求項２】
前記登録部は、第１記番号の記番号識別結果である第１記番号識別結果と第２記番号の記番号識別結果である第２記番号識別結果とが同一であった場合、前記紙幣に対して１つの記番号識別結果を登録する
請求項１に記載の紙幣処理装置。
【請求項３】
前記登録部は、前記第１記番号識別結果及び前記第２記番号識別結果に不読文字及び複数候補文字が存在せず、且つ前記第１記番号識別結果と前記第２記番号識別結果とが同一であった場合、前記紙幣に対して１つの記番号識別結果を登録する
請求項２に記載の紙幣処理装置。
【請求項４】
前記登録部は、前記第１記番号識別結果又は前記第２記番号識別結果の少なくともどちらか一方に不読文字又は複数候補文字が存在したか、又は前記第１記番号識別結果と前記第２記番号識別結果とが同一でなかった場合、前記紙幣に対して複数の記番号識別結果を登録する
請求項２に記載の紙幣処理装置。
【請求項５】
前記登録部は、前記第１記番号識別結果又は前記第２記番号識別結果の少なくともどちらか一方に不読文字又は複数候補文字が存在したか、又は前記第１記番号識別結果と前記第２記番号識別結果とが同一でなかった場合、前記紙幣に対して前記第１記番号識別結果及び前記第２記番号識別結果を登録する
請求項４に記載の紙幣処理装置。
【請求項６】
前記登録部は、不読文字又は複数候補文字が存在する前記記番号識別結果は登録しない
請求項４に記載の紙幣処理装置。
【請求項７】
前記登録部により登録された前記記番号識別結果と、前記識別部で新たに取得した記番号識別結果とを照合する照合部
をさらに有する請求項２に記載の紙幣処理装置。
【請求項８】
前記照合部は、前記登録部により前記紙幣に対して登録された前記記番号識別結果が１つの場合は、当該１つの記番号識別結果と前記識別部で新たに取得した記番号識別結果とを照合する
請求項７に記載の紙幣処理装置。
【請求項９】
前記照合部は、前記登録部により前記紙幣に対して登録された前記記番号識別結果が１つの場合は、当該１つの記番号識別結果と、前記識別部で新たに取得した第１記番号識別結果及び第２記番号識別結果とを照合する
請求項８に記載の紙幣処理装置。
【請求項１０】
前記照合部は、前記登録部により前記紙幣に対して登録された前記記番号識別結果が複数の場合は、当該複数の記番号識別結果と前記識別部で新たに取得した記番号識別結果とを照合する
請求項８に記載の紙幣処理装置。
【請求項１１】
前記照合部は、前記登録部により前記紙幣に対して登録された前記記番号識別結果が前記第１記番号識別結果及び前記第２記番号識別結果である場合は、当該第１記番号識別結果と前記識別部で新たに取得した前記第１記番号識別結果とを、当該第２記番号識別結果と前記識別部で新たに取得した前記第２記番号識別結果とを、それぞれ照合する
請求項１０に記載の紙幣処理装置。
【請求項１２】
前記登録部は、前記紙幣に対して前記第１記番号識別結果及び前記第２記番号識別結果と共に、当該第１記番号識別結果及び第２記番号識別結果が識別された前記記番号画像を登録し、当該第１記番号識別結果及び第２記番号識別結果が同一の文字列となるように修正されると、当該文字列を１つの記番号識別結果として登録する
請求項５に記載の紙幣処理装置。
【発明の詳細な説明】
【技術分野】
【０００１】
本発明は紙幣処理装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う紙幣入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有するものがある。
【０００４】
このような現金自動取引装置には、紙幣において複数箇所に付された記番号を読み取り識別して記憶するものがある（例えば、特許文献１参照）。
【先行技術文献】
【特許文献】
【０００５】
【特許文献１】特開平１１−２８３０７６号公報
【発明の概要】
【発明が解決しようとする課題】
【０００６】
このような現金自動取引装置においては、読み取った記番号を記憶する際のデータ量を削減することが望まれている。
【０００７】
本発明は以上の点を考慮してなされたもので、機能性を高め得る紙幣処理装置を提案しようとするものである。
【課題を解決するための手段】
【０００８】
かかる課題を解決するため本発明の紙幣処理装置においては、紙幣の少なくとも２箇所に付された記番号を含む画像である記番号画像を読み取る読取部と、記番号画像から記番号を識別し記番号識別結果を取得する識別部と、識別部における記番号識別結果に基づいて紙幣に対して１又は複数の記番号識別結果を登録する登録部とを設けるようにした。
【０００９】
この紙幣処理装置は、記番号を記憶する際のデータ量を削減できる。
【発明の効果】
【００１０】
本発明によれば、記番号を記憶する際のデータ量を削減できる。かくして本発明は、機能性を高め得る紙幣処理装置を実現できる。
【図面の簡単な説明】
【００１１】
【図１】現金自動取引装置の構成を示す斜視図である。
【図２】紙幣入出金機の構成を示す左側面図である。
【図３】紙幣の構成を示す略線図である。
【図４】記番号登録処理における紙幣入出金機の機能構成を示すブロック図である。
【図５】記番号登録処理手順を示すフローチャートである。
【図６】記番号情報リストの構成を示す略線図である。
【図７】紙幣照合処理における紙幣入出金機の機能構成を示すブロック図である。
【図８】紙幣照合処理手順（１）を示すフローチャートである。
【図９】紙幣照合処理手順（２）を示すフローチャートである。
【図１０】他の実施の形態による記番号情報リストの構成を示す略線図である。
【発明を実施するための形態】
【００１２】
以下、発明を実施するための形態（以下実施の形態とする）について、図面を用いて説明する。
【００１３】
［１．実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に接客部３が設けられている。
【００１４】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。また入出金口５は、シャッタを駆動することにより開放又は閉塞するようになされている。操作表示部６は、取引に際して操作画面を表示するＬＣＤ（Liquid Crystal Display）と、取引の種類の選択、暗証番号や取引金額等を入力するタッチパネルとが一体化されている。
【００１５】
テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１６】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部３０から所定のプログラムを読み出して実行することにより、各部を制御して入金取引や出金取引等の種々の処理を行う。
【００１７】
以下では、現金自動取引装置１のうち顧客が対峙する側を前側とし、その反対を後側とし、当該前側に対峙した顧客から見て左及び右をそれぞれ左側及び右側とし、さらに上側及び下側を定義して説明する。
【００１８】
［１−２．紙幣入出金機の構成］
紙幣入出金機１０は、図２に示すように、制御部１２が各部（入出金部１６、搬送部２４、鑑別部１８、一時保留部２０、取忘れ庫２２、紙幣収納庫２６及びリジェクト庫２８）を統括制御する。
【００１９】
制御部１２は、図示しないＣＰＵを中心に構成されており、ＲＯＭ、ＲＡＭ、ハードディスクドライブやフラッシュメモリ等でなる記憶部１４から所定のプログラムを読み出して実行することにより、各部を制御して入金取引や出金取引等の種々の処理を行う。
【００２０】
紙幣入出金機１０の内部には、上側に入出金部１６、紙幣の金種や真偽等を判定する鑑別部１８、入金紙幣等を一時的に保留する一時保留部２０及び取引時に顧客が入出金部１６から取り忘れた紙幣を回収して格納する取忘れ庫２２等が設けられている。
【００２１】
入出金部１６は、顧客から投入された紙幣を１枚ずつ分離し搬送部２４へ繰り出す。搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、当該鑑別部１８の後側と取忘れ庫２２、一時保留部２０及び入出金部１６とをそれぞれ接続している。また搬送部２４は、鑑別部１８の前側と入出金部１６、紙幣収納庫２６及びリジェクト庫２８とを接続している。
【００２２】
鑑別部１８は、その内部で紙幣を搬送しながら、光学素子や磁気検出素子等を用いて当該紙幣の金種及び真偽、並びに損傷の程度等（正損）を鑑別し、その鑑別結果を制御部１２へ通知する。また鑑別部１８は、撮像した紙幣の画像データから、図３に示すように紙幣ＢＬ毎に付与されその紙幣の一面に予め印刷された英数字等で構成された紙幣識別情報である記番号を読み取り識別する。このとき鑑別部１８は、識別した字を識別結果として制御部１２へ通知する。これに応じて制御部１２は、取得した鑑別結果及び識別結果に基づいて当該紙幣の搬送先を決定する。
【００２３】
また鑑別部１８は、後述する記番号登録処理を行うことにより、図６に示すように、紙幣毎の記番号識別結果を含む記番号情報が、紙幣入出金機１０に取り込まれた紙幣の枚数分だけ並んで一覧に示された記番号情報リストＬＩＩＤを作成し、内蔵された記憶部に登録する。
【００２４】
図３に示すように、紙幣ＢＬには、左上である第１記番号位置Ｐ１に第１記番号ＩＤ１が、右下である第２記番号位置Ｐ２に第２記番号ＩＤ２がそれぞれ付されており、正常な紙幣の場合は第１記番号ＩＤ１と第２記番号ＩＤ２とは同一の文字列となっている。但し、例えば偽造券の場合、第１記番号ＩＤ１と第２記番号ＩＤ２とは必ずしも一致せず、異なる文字列となる場合がある。このように紙幣には複数の位置（例えば２箇所）に記番号が配されている。
【００２５】
記番号は、例えばアルファベット等の英語の文字と、０〜９の数字とにより構成されている。この記番号は、紙幣が現金自動取引装置１内部でジャムした場合や、顧客が取り忘れた紙幣を現金自動取引装置１が取り込んだ場合等、紙幣の特定が必要な際に、保存された記番号識別結果から紙幣を特定し、顧客へ証拠情報として提示する際に用いられる。また記番号は、現金自動取引装置１において偽造券が発見された場合、偽造券の記番号と、保存された記番号識別結果及び取引情報を照合し、現金自動取引装置１へ入金された経緯を特定したり、顧客が入金した紙幣の場合、顧客へ証拠情報として提示したりする際に用いられる。さらに記番号は、大量に流通している偽造券があり、それらの偽造券の記番号が特定されている場合、予めそれらの記番号を鑑別部１８に登録し、ある一定数以上の字数が一致した紙幣が入金された場合にその紙幣を偽造券として検出する際にも用いられる。
【００２６】
一時保留部２０は、入金時に顧客が入出金部１６へ投入した紙幣を一時的に保留し、鑑別部１８で入金可能と鑑別された正常紙幣を入金が確定するまで一時的に保留する。
【００２７】
また紙幣入出金機１０の内部には、下側に金種別の紙幣収納庫２６と、鑑別部１８において破損した紙幣（いわゆる損券）と鑑別された紙幣、偽造券と判別された紙幣及び５千券や２千券等の還流されない金種の紙幣を格納するリジェクト庫２８とが設けられている。紙幣収納庫２６は、収納排出機構により、搬送部２４から搬送されてきた紙幣を取り込んで収納すると共に、収納されている紙幣を排出して搬送部２４へ供給する。
【００２８】
かかる構成において現金自動取引装置１は、鑑別部１８による紙幣の鑑別結果及び識別結果等をもとに主制御部９及び制御部１２が各部を制御して、紙幣の入金処理、収納処理及び出金処理を行う。
【００２９】
すなわち現金自動取引装置１は、入金取引時、顧客により操作表示部６を介して入金取引が選択され、さらに入出金口５に紙幣が投入されると、投入された紙幣を入出金部１６から１枚ずつ鑑別部１８に搬送する。ここで現金自動取引装置１は、鑑別部１８の鑑別結果及び識別結果に基づき入金可能と判定された紙幣については一時保留部２０に搬送して一時的に収納する。一方で現金自動取引装置１は、入金に適さないと判定された紙幣については入出金部１６へ戻して、シャッタを開くことで顧客に返却する。その後顧客により入金金額が確定されると、現金自動取引装置１は、一時保留部２０に収納している紙幣を鑑別部１８に搬送して鑑別結果及び記番号の識別結果を得る。ここで現金自動取引装置１は、鑑別部１８の鑑別結果及び識別結果に基づき収納可能と判定された紙幣については、その金種に応じて各紙幣収納庫２６へ搬送して保管する。一方で現金自動取引装置１は、記番号情報リストに登録されている記番号と一定数以上の字数が一致した記番号が付された紙幣等、収納に適さないと判定された紙幣については、リジェクト庫２８へ搬送する。
【００３０】
一方出金取引時、現金自動取引装置１は、顧客により操作表示部６を介して出金取引が選択され出金金額が入力されると、要求金額に応じて必要な金種毎の紙幣枚数を認識し、この金種毎の紙幣枚数に応じて各紙幣収納庫２６から紙幣を繰り出して鑑別部１８に搬送して鑑別結果及び記番号の識別結果を得る。ここで現金自動取引装置１は、鑑別部１８の鑑別結果及び識別結果に基づき出金可能と判定された紙幣については入出金部１６に搬送する。一方で現金自動取引装置１は、出金に適さないと判定された紙幣については一時保留部２０に搬送して一時的に収納する。そして要求金額分の紙幣が入出金部１６へ集積されると、現金自動取引装置１は、シャッタを開ける。これにより入出金部１６内に集積されている紙幣の受け取りが可能な状態となり、顧客がこの紙幣を受け取る。その後現金自動取引装置１は、一時保留部２０に収納している紙幣をリジェクト庫２８へと搬送して保管する。
【００３１】
［１−３．記番号登録処理］
次に、紙幣入出金機１０による記番号登録処理の具体的な処理手順について、図５に示すフローチャートを用いて詳細に説明する。ここで、紙幣入出金機１０における記番号登録処理に関係する基本的な機能を機能ブロック図により表すと、図４のようになる。図４において、記番号読取部４０、記番号情報生成部４２及び記番号情報登録部４４は、鑑別部１８と対応している。
【００３２】
記番号読取部４０は、紙幣の少なくとも２箇所（第１記番号位置Ｐ１及び第２記番号位置Ｐ２）に付された記番号を含む画像を読み取り、第１記番号画像データＰＣ１（図示せず）及び第２記番号画像データＰＣ２（図示せず）を生成する。記番号情報生成部４２は、記番号読取部４０が生成した第１記番号画像データＰＣ１及び第２記番号画像データＰＣ２から記番号を推定し、共通記番号情報ＩＩＤＣ又は個別記番号情報ＩＩＤＳからなる記番号情報ＩＩＤを生成する。この記番号情報生成部４２は、記番号画像データから記番号を推定するため、記番号文字として利用される文字の画像を基準文字画像として予め記憶している。記番号情報登録部４４は、記番号情報生成部４２が生成した共通記番号情報ＩＩＤＣ又は個別記番号情報ＩＩＤＳからなる記番号情報ＩＩＤを、記番号情報リストＬＩＩＤに追加して登録する。
【００３３】
紙幣入出金機１０の鑑別部１８は、入金取引時、投入された紙幣が入出金部１６から当該鑑別部１８に搬送されると、記憶部１４から記番号登録プログラムを読み出して実行することにより記番号登録処理手順ＲＴ１を開始し、ステップＳＰ１へ移る。
【００３４】
ステップＳＰ１において鑑別部１８は、記番号読取部４０により、記番号登録対象となる紙幣における第１記番号位置Ｐ１の画像を読み取り第１記番号画像データＰＣ１を生成し、ステップＳＰ２へ移る。ステップＳＰ２において鑑別部１８は、記番号情報生成部４２により、第１記番号画像データＰＣ１から記番号を推定して第１記番号識別結果を生成し、ステップＳＰ３へ移る。
【００３５】
具体的には記番号情報生成部４２は、記番号の１字毎に第１記番号画像データＰＣ１を分割し、分割されたそれぞれの字に対し、予め登録されている基準文字画像の中で、例えば相関係数である一致度が高い字を選択していくことより、記番号を推定する。但し、最も高い一致度が所定の閾値未満である（すなわち一致度が高い字が見つからない）場合や、最も一致度が高い文字と２番目に一致度が高い文字との差が所定の閾値未満である（すなわち一致度が高い文字が複数存在する）場合、記番号情報生成部４２は、当該文字を不読文字として判別し、”？”で示す。
【００３６】
ステップＳＰ３において鑑別部１８は、記番号読取部４０により、記番号登録対象となる紙幣における第２記番号位置Ｐ２の画像を読み取り第２記番号画像データＰＣ２を生成し、ステップＳＰ４へ移る。ステップＳＰ４において鑑別部１８は、記番号情報生成部４２により、ステップＳＰ２と同様の手法で第２記番号画像データＰＣ２から記番号を推定して第２記番号識別結果を生成し、ステップＳＰ５へ移る。
【００３７】
以下のステップＳＰ５〜ＳＰ９において鑑別部１８は、記番号情報生成部４２により、記番号情報リストＬＩＩＤに登録する記番号情報ＩＩＤとして共通記番号情報ＩＩＤＣ又は個別記番号情報ＩＩＤＳを生成する。ステップＳＰ５において鑑別部１８は、記番号情報生成部４２により、第１記番号識別結果に不読文字が存在しないか否を判定する。
【００３８】
ここで肯定結果が得られると、鑑別部１８はステップＳＰ６へ移る。ステップＳＰ６において鑑別部１８は、記番号情報生成部４２により、第２記番号識別結果に不読文字が存在しないか否を判定する。ここで肯定結果が得られると、鑑別部１８はステップＳＰ７へ移る。ステップＳＰ７において鑑別部１８は、記番号情報生成部４２により、第１記番号識別結果と第２記番号識別結果との文字列が同一であるか否かを判定する。ここで肯定結果が得られると、鑑別部１８はステップＳＰ８へ移る。ステップＳＰ８において鑑別部１８は、記番号情報生成部４２により、図６に示す共通記番号情報ＩＩＤＣを生成し、ステップＳＰ１０へ移る。
【００３９】
一方ステップＳＰ５、ステップＳＰ６又はステップＳＰ７において否定結果が得られると、鑑別部１８はステップＳＰ９へ移り、記番号情報生成部４２により、図６に示す個別記番号情報ＩＩＤＳを生成し、ステップＳＰ１０へ移る。
【００４０】
ステップＳＰ１０において鑑別部１８は、記番号情報登録部４４により、ステップＳＰ８において生成した共通記番号情報ＩＩＤＣか、又はステップＳＰ９において生成した個別記番号情報ＩＩＤＳかの何れかを記番号情報ＩＩＤとして図６に示す記番号情報リストＬＩＩＤに登録し、ステップＳＰ１１へ移り、記番号登録処理手順ＲＴ１を終了する。
【００４１】
ここで、図６に示すように、記番号情報リストＬＩＩＤは、紙幣毎の記番号情報ＩＩＤが、紙幣入出金機１０に取り込まれた紙幣の枚数分だけ並んで一覧に示されている。この記番号情報ＩＩＤは、個別記番号情報ＩＩＤＳ又は共通記番号情報ＩＩＤＣにより構成されている。
【００４２】
例えば“紙幣１”は、個別記番号情報ＩＩＤＳが登録されており、当該個別記番号情報ＩＩＤＳは、登録形式ＲＦとして”個別”を、登録第１記番号識別結果ＲＩＤＳ１として”１２１？３４５６”を、登録第２記番号識別結果ＲＩＤＳ２として”１２？１３４５６”を、それぞれ有している。登録第１記番号識別結果ＲＩＤＳ１は、第１記番号位置Ｐ１の第１記番号ＩＤ１を識別した結果であり、登録第２記番号識別結果ＲＩＤＳ２は、第２記番号位置Ｐ２の第２記番号ＩＤ２を識別した結果である。このように個別記番号情報ＩＩＤＳは、紙幣に付された２箇所の記番号（第１記番号ＩＤ１及び第２記番号ＩＤ２）に応じ、当該記番号の数と同じ２個の記番号識別結果として、登録第１記番号識別結果ＲＩＤＳ１及び登録第２記番号識別結果ＲＩＤＳ２を有している。
【００４３】
一方“紙幣２”は、共通記番号情報ＩＩＤＣが登録されており、当該共通記番号情報ＩＩＤＣは、登録形式ＲＦとして”共通”を、登録共通記番号識別結果ＲＩＤＣとして”１２３４５６７８”を有している。登録共通記番号識別結果ＲＩＤＣは、第１記番号位置Ｐ１の第１記番号ＩＤ１を識別した結果（すなわち第２記番号位置Ｐ２の第２記番号ＩＤ２を識別した結果と同一）である。このように共通記番号情報ＩＩＤＣは、紙幣に付された２箇所の記番号（第１記番号ＩＤ１及び第２記番号ＩＤ２）の数よりも少ない１個の記番号識別結果として、第１記番号識別結果と第２記番号識別結果とをまとめて共通記番号識別結果として記憶している。これにより共通記番号情報ＩＩＤＣは、個別記番号情報ＩＩＤＳよりもデータ量が削減されている。
【００４４】
［１−４．紙幣照合処理］
次に、紙幣入出金機１０による紙幣照合処理の具体的な処理手順について、図８及び図９に示すフローチャートを用いて詳細に説明する。ここで、紙幣入出金機１０における紙幣照合処理に関係する基本的な機能を機能ブロック図により表すと、図７のようになる。図７において、記番号読取部４０、記番号情報生成部４２及び紙幣照合部４６は、鑑別部１８と対応している。
【００４５】
記番号読取部４０は、紙幣の少なくとも２箇所（第１記番号位置Ｐ１及び第２記番号位置Ｐ２）に付された記番号を含む画像を読み取り、第１記番号画像データＰＣ１及び第２記番号画像データＰＣ２を生成する。記番号情報生成部４２は、記番号読取部４０が生成した第１記番号画像データＰＣ１及び第２記番号画像データＰＣ２から記番号を推定し、推定第１記番号識別結果ＣＩＤ１（図示せず）及び推定第２記番号識別結果ＣＩＤ２（図示せず）を生成する。紙幣照合部４６は、記番号情報登録部４４に登録された記番号情報ＩＩＤの記番号識別結果と、記番号読取部４０で生成した推定第１記番号識別結果ＣＩＤ１及び推定第２記番号識別結果ＣＩＤ２とを比較し、紙幣を照合する。この紙幣照合部４６は、記番号画像データから記番号を推定するため、記番号文字として利用される文字の画像を基準文字画像として予め記憶している。
【００４６】
紙幣照合処理が行われる際、上述した記番号登録処理は既に行われており、記番号情報登録部４４には記番号情報リストＬＩＩＤ（図６）が既に登録された状態となっている。この紙幣照合処理は、例えば入金取引時に投入された紙幣から偽造券を発見したり、現金自動取引装置１の外部の現金センタにおいて紙幣収納庫２６に装填された紙幣が、当該紙幣収納庫２６が当該現金自動取引装置１に装着されるまでの間に抜き取られたか否かを判定したりするために行われる。
【００４７】
紙幣入出金機１０の鑑別部１８は、例えば入金取引時、投入された紙幣が入出金部１６から当該鑑別部１８に搬送されると、記憶部１４から紙幣照合プログラムを読み出して実行することにより紙幣照合処理手順ＲＴ２を開始し、ステップＳＰ２１へ移る。
【００４８】
ステップＳＰ２１において鑑別部１８は、記番号読取部４０により、照合対象となる照合対象紙幣における第１記番号位置Ｐ１の画像を読み取り第１記番号画像データＰＣ１を生成し、ステップＳＰ２２へ移る。ステップＳＰ２２において鑑別部１８は、記番号情報生成部４２により、記番号登録処理手順ＲＴ１（図５）におけるステップＳＰ２と同様の手法で第１記番号画像データＰＣ１から記番号を推定して推定第１記番号識別結果ＣＩＤ１（図示せず）を生成し、ステップＳＰ２３へ移る。
【００４９】
ステップＳＰ２３において鑑別部１８は、紙幣照合部４６により、記番号情報登録部４４に登録された記番号情報リストＬＩＩＤ内の記番号情報ＩＩＤを順次読出比較対象として探索し、ステップＳＰ２４へ移る。ステップＳＰ２４において鑑別部１８は、紙幣照合部４６により、読出比較対象となっている記番号情報ＩＩＤが、共通記番号情報ＩＩＤＣであるか否かを判定する。ここで肯定結果が得られると、鑑別部１８はステップＳＰ２５へ移り、紙幣照合部４６により、共通記番号情報ＩＩＤＣにおける登録共通記番号識別結果ＲＩＤＣと、推定第１記番号識別結果ＣＩＤ１とを比較しステップＳＰ２６へ移る。
【００５０】
ステップＳＰ２６において鑑別部１８は、紙幣照合部４６により、登録共通記番号識別結果ＲＩＤＣと推定第１記番号識別結果ＣＩＤ１とが一致したか否かを判定する。具体的には紙幣照合部４６は、登録共通記番号識別結果ＲＩＤＣと推定第１記番号識別結果ＣＩＤ１とを比較し、不読文字を含む文字列の全ての文字が一致するか否かを判定する。ここで肯定結果が得られると、鑑別部１８はステップＳＰ２９へ移り、紙幣照合部４６により、一致した登録共通記番号識別結果ＲＩＤＣを含む共通記番号情報ＩＩＤＣを記番号情報リストＬＩＩＤから抽出し、第１絞込記番号情報リストＬＩＩＤ１（図示せず）に追加する。一方ステップＳＰ２６において否定結果が得られると、鑑別部１８はステップＳＰ３０へ移る。この第１絞込記番号情報リストＬＩＩＤ１とは、推定第１記番号識別結果ＣＩＤ１により記番号情報リストＬＩＩＤから絞り込まれた記番号情報リストである。
【００５１】
一方ステップＳＰ２４において否定結果が得られると、このことは現在記番号情報リストＬＩＩＤにおいて読出比較対象となっている記番号情報ＩＩＤが個別記番号情報ＩＩＤＳであることを表し、このとき鑑別部１８はステップＳＰ２７へ移る。ステップＳＰ２７において鑑別部１８は、紙幣照合部４６により、個別記番号情報ＩＩＤＳにおける登録第１記番号識別結果ＲＩＤＳ１と、推定第１記番号識別結果ＣＩＤ１とを、ステップＳＰ２５と同様の手法で比較し、ステップＳＰ２８へ移る。以下では、登録共通記番号識別結果ＲＩＤＣと、個別記番号情報ＩＩＤＳにおける登録第１記番号識別結果ＲＩＤＳ１及び登録第２記番号識別結果ＲＩＤＳ２とをまとめて登録記番号識別結果とも呼ぶ。
【００５２】
ステップＳＰ２８において鑑別部１８は、紙幣照合部４６により、登録第１記番号識別結果ＲＩＤＳ１と推定第１記番号識別結果ＣＩＤ１とが一致したか否かをステップＳＰ２６と同様の手法で判定する。ここで肯定結果が得られると、鑑別部１８はステップＳＰ２９へ移り、紙幣照合部４６により、一致した登録第１記番号識別結果ＲＩＤＳ１を含む個別記番号情報ＩＩＤＳを記番号情報リストＬＩＩＤから抽出し、第１絞込記番号情報リストＬＩＩＤ１に追加する。一方ステップＳＰ２８において否定結果が得られると、鑑別部１８はステップＳＰ３０へ移る。
【００５３】
ステップＳＰ３０において鑑別部１８は、紙幣照合部４６により、記番号情報リストＬＩＩＤにおける最後の記番号情報ＩＩＤまで探索したか否かを判定する。ここで否定結果が得られると、このことは、未だ照合を行っていない記番号情報ＩＩＤが記番号情報リストＬＩＩＤに存在することを表し、このとき鑑別部１８はステップＳＰ２３へ戻り、次の記番号情報ＩＩＤを探索する。
【００５４】
一方ステップＳＰ３０において肯定結果が得られると、鑑別部１８はステップＳＰ３１へ移り、紙幣照合部４６により、第１絞込記番号情報リストＬＩＩＤ１が作成されたか否かを判定する。ここで否定結果が得られると、このことは推定第１記番号識別結果ＣＩＤ１と一致する登録記番号識別結果を有する記番号情報ＩＩＤが記番号情報リストＬＩＩＤ内に存在しなかったことを表し、このとき鑑別部１８はステップＳＰ４２（図９）へ移る。
【００５５】
一方ステップＳＰ３１において肯定結果が得られると、このことは推定第１記番号識別結果ＣＩＤ１と一致する登録記番号識別結果を有する記番号情報ＩＩＤが記番号情報リストＬＩＩＤ内に存在し、そのような記番号情報ＩＩＤが記番号情報リストＬＩＩＤから絞り込まれて第１絞込記番号情報リストＬＩＩＤ１が作成されたことを表し、このとき鑑別部１８はステップＳＰ３２へ移る。
【００５６】
ステップＳＰ３２において鑑別部１８は、記番号読取部４０により、照合対象紙幣における第２記番号位置Ｐ２の画像を読み取り第２記番号画像データＰＣ２を生成し、ステップＳＰ３３へ移る。ステップＳＰ３３において鑑別部１８は、記番号情報生成部４２により、ステップＳＰ２２と同様の手法で第２記番号画像データＰＣ２から記番号を推定して推定第２記番号識別結果ＣＩＤ２（図示せず）を生成し、ステップＳＰ３４へ移る。
【００５７】
ステップＳＰ３４において鑑別部１８は、紙幣照合部４６により、記番号情報登録部４４に作成された第１絞込記番号情報リストＬＩＩＤ１内の記番号情報ＩＩＤを順次読出比較対象として探索し、ステップＳＰ３５へ移る。ステップＳＰ３５において鑑別部１８は、紙幣照合部４６により、読出比較対象となっている記番号情報ＩＩＤが、共通記番号情報ＩＩＤＣであるか否かを判定する。ここで肯定結果が得られると、鑑別部１８はステップＳＰ３６へ移り、紙幣照合部４６により、共通記番号情報ＩＩＤＣにおける登録共通記番号識別結果ＲＩＤＣと、推定第２記番号識別結果ＣＩＤ２とをステップＳＰ２５と同様の手法で比較し、ステップＳＰ３７へ移る。
【００５８】
ステップＳＰ３７において鑑別部１８は、紙幣照合部４６により、登録共通記番号識別結果ＲＩＤＣと推定第２記番号識別結果ＣＩＤ２とが一致したか否かをステップＳＰ２６と同様の手法で判定する。ここで肯定結果が得られると、鑑別部１８はステップＳＰ４０へ移り、一致した登録共通記番号識別結果ＲＩＤＣを含む共通記番号情報ＩＩＤＣを第１絞込記番号情報リストＬＩＩＤ１から抽出し、第２絞込記番号情報リストＬＩＩＤ２（図示せず）に追加する。一方ステップＳＰ３７において否定結果が得られると、鑑別部１８はステップＳＰ４１へ移る。
【００５９】
一方ステップＳＰ３５において否定結果が得られると、このことは現在第１絞込記番号情報リストＬＩＩＤ１において読出比較対象となっている記番号情報ＩＩＤが個別記番号情報ＩＩＤＳであることを表し、このとき鑑別部１８はステップＳＰ３８へ移る。ステップＳＰ３８において鑑別部１８は、紙幣照合部４６により、個別記番号情報ＩＩＤＳにおける登録第２記番号識別結果ＲＩＤＳ２と、推定第２記番号識別結果ＣＩＤ２とを、ステップＳＰ２７と同様の手法で比較し、ステップＳＰ３９へ移る。
【００６０】
ステップＳＰ３９において鑑別部１８は、紙幣照合部４６により、登録第２記番号識別結果ＲＩＤＳ２と推定第２記番号識別結果ＣＩＤ２とが一致したか否かをステップＳＰ２８と同様の手法で判定する。ここで肯定結果が得られると、鑑別部１８はステップＳＰ４０へ移り、一致した登録第２記番号識別結果ＲＩＤＳ２を含む個別記番号情報ＩＩＤＳを第１絞込記番号情報リストＬＩＩＤ１から抽出し、第２絞込記番号情報リストＬＩＩＤ２に追加する。一方ステップＳＰ３９において否定結果が得られると、鑑別部１８はステップＳＰ４１へ移る。
【００６１】
ステップＳＰ４１において鑑別部１８は、紙幣照合部４６により、第１絞込記番号情報リストＬＩＩＤ１における最後の記番号情報ＩＩＤまで探索したか否かを判定する。ここで否定結果が得られると、このことは、未だ照合を行っていない記番号情報ＩＩＤが第１絞込記番号情報リストＬＩＩＤ１に存在することを表し、このとき鑑別部１８はステップＳＰ３４へ戻り、次の記番号情報ＩＩＤを探索する。
【００６２】
一方ステップＳＰ４１において肯定結果が得られると、鑑別部１８はステップＳＰ４２へ移り、紙幣照合結果を例えば操作表示部６に表示することにより作業者へ通知し、ステップＳＰ４３へ移り、紙幣照合処理手順ＲＴ２を終了する。具体的には鑑別部１８は、登録記番号識別結果と同一の記番号を有する紙幣が取り込まれた場合、制御部１２によりその旨を操作表示部６に表示する。
【００６３】
［１−５．効果］
以上の構成において、現金自動取引装置１は、第１記番号識別結果又は第２記番号識別結果の少なくともどちらか一方に不読文字が存在したか、又は第１記番号識別結果及び第２記番号識別結果に不読文字は存在しないが当該第１記番号識別結果と当該第２記番号識別結果との文字列が同一でなかった場合、互いに異なる文字列である登録第１記番号識別結果ＲＩＤＳ１及び登録第２記番号識別結果ＲＩＤＳ２を有する個別記番号情報ＩＩＤＳを１枚の紙幣に対して記憶することにより、紙幣照合処理の際の照合精度を保つことができる。
【００６４】
一方現金自動取引装置１は、第１記番号識別結果及び第２記番号識別結果に不読文字が存在せず、さらに第１記番号識別結果と第２記番号識別結果との文字列が同一であった場合、１つの登録共通記番号識別結果ＲＩＤＣを有する共通記番号情報ＩＩＤＣを１枚の紙幣に対して記憶することにより、記憶するデータ量を個別記番号情報ＩＩＤＳよりも削減し、記番号情報を登録する際に消費するメモリ使用量を節約できる。
【００６５】
記番号情報リストＬＩＩＤ内の記番号情報ＩＩＤは、紙幣の登録枚数が増加に連れて増加していくため、紙幣の複数箇所に付された記番号の記番号識別結果を全て登録すると、登録枚数が増えるに連れて、データ量が膨大になってしまう。これに対し現金自動取引装置１は、第１記番号識別結果及び第２記番号識別結果に不読文字が存在せず、さらに第１記番号識別結果と第２記番号識別結果との文字列が同一であった場合、当該第１記番号識別結果及び第２記番号識別結果の両方を記憶する必要はなく、どちらか１つを記憶すれば十分であるため、当該第１記番号識別結果及び第２記番号識別結果をまとめた登録共通記番号識別結果ＲＩＤＣを有する共通記番号情報ＩＩＤＣを記憶するようにした。
【００６６】
このように現金自動取引装置１は、複数の記番号の識別結果に応じて、登録する記番号識別結果を切り替えることにより、データ量を削減することができる。
【００６７】
ところで紙幣照合時、従来の現金自動取引装置１は、紙幣の複数箇所に付された複数の記番号を同一の記番号として推定記番号識別結果を生成し、その推定記番号識別結果に基づき紙幣を照合することがあった。しかしながらその場合、記番号が付された箇所の周辺の絵柄との関係等によって読み取り難く間違えやすい位置の記番号識別結果や、汚れ等が付着して読み取り難い記番号識別結果が影響し、照合結果が間違ってしまう可能性があった。
【００６８】
これに対し現金自動取引装置１は、登録記番号識別結果と、推定第１記番号識別結果ＣＩＤ１及び推定第２記番号識別結果ＣＩＤ２の両方とを比較するようにした。このように現金自動取引装置１は、記番号登録処理により予め登録された複数位置のそれぞれの記番号識別結果と、照合対象紙幣のそれぞれの位置の記番号識別結果同士を比較することにより、精度良く照合を行うことができる。
【００６９】
以上の構成によれば、現金自動取引装置１は、紙幣の少なくとも２箇所に付された記番号を含む画像である記番号画像を読み取る記番号読取部４０と、記番号画像から記番号を識別し記番号識別結果を取得する記番号情報生成部４２と、記番号情報生成部４２における記番号識別結果に基づいて１枚の紙幣に対して１又は複数の記番号識別結果を登録する記番号情報登録部４４とを設けるようにした。これにより現金自動取引装置１は、１だけの記番号識別結果を登録するだけの場合、複数の記番号識別結果を登録する場合と比べて、記番号識別結果を登録する際のデータ量を削減することができる。
【００７０】
［２．他の実施の形態］
なお上述した実施の形態においては、第１記番号位置Ｐ１と第２記番号位置Ｐ２との２箇所に記番号が配された紙幣に対し本発明を適用する場合について述べたが、本発明はこれに限らず、記番号が３箇所以上の種々の個数の配された紙幣に対し本発明を適用しても良い。
【００７１】
記番号が３箇所以上配されている場合、記番号登録処理時においては、所定個数配された記番号の全てに不読文字が存在せず、且つ全ての記番号の記番号識別結果が同一であった場合、それらの全ての記番号識別結果をまとめて共通記番号情報として記憶することにより、全ての記番号の記番号識別結果を個別に記憶する場合よりも記憶するデータ量を削減できる。
【００７２】
また記番号が３箇所以上配されている場合、紙幣照合処理時においては、第２絞込記番号情報リストを作成した後、次の比較対象となる記番号画像データから記番号を推定して推定記番号識別結果を生成し、当該推定記番号識別結果と登録記番号識別結果とを比較して、紙幣に付されている記番号の数に応じて適宜絞込記番号情報リストを作成すれば良い。
【００７３】
また上述した実施の形態においては、記番号情報リストＬＩＩＤの登録形式ＲＦとして”共通”又は”個別”を設け、”共通”の場合（共通記番号情報ＩＩＤＣの場合）は、第１記番号識別結果と第２記番号識別結果とをまとめて登録共通記番号識別結果ＲＩＤＣとして記憶し、一方”個別”の場合（個別記番号情報ＩＩＤＳの場合）は、第１記番号識別結果である登録第１記番号識別結果ＲＩＤＳ１と、第２記番号識別結果である登録第２記番号識別結果ＲＩＤＳ２との両方を別々に登録する場合について述べた。本発明はこれに限らず、登録第１記番号識別結果ＲＩＤＳ１か登録第２記番号識別結果ＲＩＤＳ２かのどちらか一方のみを登録するような登録形式を設けても良い。
【００７４】
さらに上述した実施の形態においては、第１記番号識別結果又は第２記番号識別結果の何れかに不読文字が存在する場合、個別記番号情報ＩＩＤＳを記憶する場合について述べた。本発明はこれに限らず、第１記番号識別結果と第２記番号識別結果とで、記番号の文字列における互いに同じ位置で不読文字と判定した場合、第１記番号識別結果と第２記番号識別結果とは同一とみなし、共通記番号情報ＩＩＤＣを記憶しても良い。
【００７５】
さらに上述した実施の形態においては、記番号登録処理時において、不読文字を”？”として登録する場合について述べたが、本発明はこれに限らず、最も一致度が高い文字と２番目に一致度が高い文字との差が所定の閾値未満である（すなわち一致度が高い文字が複数存在し、”１”又は”Ｉ”等のように複数候補がある）場合、図１０に示すように、記番号に利用されない字である”★”で複数候補文字として示しても良い。現金自動取引装置は、紙幣照合時に、複数候補文字の一致を含む全ての文字において登録記番号識別結果と推定記番号識別結果とを比較し、文字列が一致するか否かを判定することにより、紙幣照合時の精度を向上させることができる。
【００７６】
また、紙幣に付された複数の記番号のうち、不読文字又は複数候補文字を含まない記番号識別結果を全て登録する（すなわち不読文字又は複数候補文字を含む記番号識別結果は登録しない）ようにしても良い。
【００７７】
また、紙幣に付された複数の記番号のうち、不読文字又は複数候補文字以外の字を１字でも含む記番号識別結果を全て登録する（すなわち不読文字又は複数候補文字だけの記番号識別結果は登録しない）ようにしても良い。
【００７８】
また、紙幣に付された複数の記番号のうち、不読文字又は複数候補文字を含まない複数の記番号識別結果の中から、予め設定した個数の記番号識別結果のみを登録する（すなわち不読文字又は複数候補文字を含まない複数の記番号識別結果が３個あっても、例えば２個しか登録しない）ようにしても良い。
【００７９】
また、信頼度が高い記番号識別結果から順に予め設定した数だけ登録する（すなわち信用度が低い記番号識別結果は登録しない）ようにしても良い。又は、信頼度が所定の閾値以上の記番号識別結果を全て登録する（すなわち信頼度が所定の閾値未満の記番号識別結果は登録しない）ようにしても良い。ここで信頼度とは、記番号の１文字ずつの一致度を当該記番号の字数分足し合わせたものや、不読文字数の少なさ等である。また、信頼度以外にも他の種々の判定基準を用いても良い。
【００８０】
さらに上述した実施の形態においては、記番号登録処理時において、第１記番号ＩＤ１及び第２記番号ＩＤ２の両方において全ての字を登録第１記番号識別結果ＲＩＤＳ１及び登録第２記番号識別結果ＲＩＤＳ２として登録する場合について述べた。本発明はこれに限らず、第１記番号ＩＤ１と第２記番号ＩＤ２とにおいてそれぞれ異なる字数分の字を登録第１記番号識別結果ＲＩＤＳ１と登録第２記番号識別結果ＲＩＤＳ２として登録しても良い。
【００８１】
さらに上述した実施の形態においては、記番号画像データから推定した記番号識別結果を記憶する場合について述べたが、本発明はこれに限らず、記番号識別結果と共に、記番号画像データを記憶しても良い。この場合、個別記番号情報ＩＩＤＳとして、登録第１記番号識別結果ＲＩＤＳ１と共に第１記番号画像データＰＣ１を、登録第２記番号識別結果ＲＩＤＳ２と共に第２記番号画像データＰＣ２をそれぞれ操作表示部６に表示させ、当該第１記番号画像データＰＣ１及び第２記番号画像データＰＣ２を作業者が目視しながら、登録第１記番号識別結果ＲＩＤＳ１と登録第２記番号識別結果ＲＩＤＳ２とを同一の文字列となるように修正すると、これらの登録第１記番号識別結果ＲＩＤＳ１と登録第２記番号識別結果ＲＩＤＳ２とをまとめた登録共通記番号識別結果ＲＩＤＣを有する共通記番号情報ＩＩＤＣとして記憶しても良い。
【００８２】
さらに上述した実施の形態においては、記番号画像データから推定した記番号識別結果を記憶する場合について述べたが、本発明はこれに限らず、記番号識別結果に替えて記番号画像データを記憶しても良い。
【００８３】
さらに上述した実施の形態においては、記番号登録処理において、第１記番号識別結果及び第２記番号識別結果に不読文字が存在しないか否を判定する場合について述べたが、本発明はこれに限らず、第１記番号識別結果及び第２記番号識別結果に不読文字及び複数候補文字が存在しないか判定したり、不読文字又は複数候補文字の何れか一方が存在しないか否かを判定したりしても良い。
【００８４】
さらに上述した実施の形態においては、紙幣照合処理時において、不読文字を含む全ての文字において、登録記番号識別結果と推定記番号識別結果とを比較し、文字列が一致するか否かを判定する場合について述べた。本発明はこれに限らず、登録記番号識別結果又は推定記番号識別結果に不読文字が存在した場合を除いて文字列が一致するか否かを判定するようにしても良い。また、登録記番号識別結果又は推定記番号識別結果のどちらか一方に複数候補文字が存在した場合、登録記番号識別結果又は推定記番号識別結果のもう一方の対応する文字が例えば”１”又は”Ｉ”等のように複数候補となり得る文字であった場合、一致していると判定しても良い。
【００８５】
さらに、紙幣照合処理時において、記番号情報リストＬＩＩＤから共通記番号情報ＩＩＤＣ又は個別記番号情報ＩＩＤＳの１つだけを抽出し第１絞込記番号情報リストＬＩＩＤ１を作成した場合であり、且つ共通記番号情報ＩＩＤＣ又は個別記番号情報ＩＩＤＳに不読文字及び複数候補文字が存在しない場合、第１絞込記番号情報リストＬＩＩＤ１から第２絞込記番号情報リストＬＩＩＤ２を作成することなく、紙幣照合処理手順ＲＴ２を終了しても良い。この場合、第１絞込記番号情報リストＬＩＩＤ１から第２絞込記番号情報リストＬＩＩＤ２を作成する必要がないため、処理を高速化させることができる。
【００８６】
さらに上述した実施の形態においては、紙幣照合処理時において、読出比較対象の記番号情報ＩＩＤが共通記番号情報ＩＩＤＣである場合、登録共通記番号識別結果ＲＩＤＣと推定第１記番号識別結果ＣＩＤ１及び推定第２記番号識別結果ＣＩＤ２とを比較する一方、読出比較対象の記番号情報ＩＩＤが個別記番号情報ＩＩＤＳである場合、登録第１記番号識別結果ＲＩＤＳ１と推定第１記番号識別結果ＣＩＤ１と、登録第２記番号識別結果ＲＩＤＳ２と推定第２記番号識別結果ＣＩＤ２とをそれぞれ比較する場合について述べた。本発明はこれに限らず、個別記番号情報ＩＩＤＳにおいては、登録第１記番号識別結果ＲＩＤＳ１と推定第１記番号識別結果ＣＩＤ１とを比較し、さらに登録第２記番号識別結果ＲＩＤＳ２と推定第２記番号識別結果ＣＩＤ２とを比較する一方、共通記番号情報ＩＩＤＣにおいては、登録共通記番号識別結果ＲＩＤＣと推定第２記番号識別結果ＣＩＤ２とは比較せず、登録共通記番号識別結果ＲＩＤＣと推定第１記番号識別結果ＣＩＤ１のみを比較しても良い。この場合、登録共通記番号識別結果ＲＩＤＣと推定第２記番号識別結果ＣＩＤ２とは比較しないため処理を高速化させることができる。
【００８７】
さらに上述した紙幣照合処理時において、例えば、登録第１記番号識別結果ＲＩＤＳ１は登録されているが登録第２記番号識別結果ＲＩＤＳ２が登録されていない個別記番号情報ＩＩＤＳが存在した場合、登録第２記番号識別結果ＲＩＤＳ２と推定第２記番号識別結果ＣＩＤ２との比較はスキップすることにより、第２絞込記番号情報リストＬＩＩＤ２へ抽出する候補として除外しないようにしても良い。
【００８８】
さらに上述した実施の形態においては、記番号登録処理及び紙幣照合処理の両方を行う場合に本発明を適用する場合について述べたが、記番号登録処理だけを行い、登録した記番号識別結果を例えば操作表示部６に表示する場合にも本発明を適用して良い。
【００８９】
さらに上述した実施の形態においては、記憶部１４に予め記憶させておいた記番号登録プログラム及び紙幣照合プログラムを読み出して実行する場合について述べた。本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact Disc-Read Only Memory）等の外部記憶媒体を介して、外部から記番号登録プログラム及び紙幣照合プログラムを取得して実行しても良い。
【００９０】
さらに上述した実施の形態においては、入金取引及び出金取引を行う現金自動取引装置１に本発明を適用する場合について述べたが、入金取引のみ又は出金取引のみを行う装置に本発明を適用しても良い。
【００９１】
さらに上述した実施の形態においては、現金を取引する現金自動取引装置１において、媒体としての紙幣の記番号を記憶する場合に本発明を適用する場合について述べた。本発明はこれに限らず、例えば商品券や金券、入場券等のような薄い紙状の媒体に付された固有な識別字を記憶する種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置や、金融機関に設置され行員が操作することで紙幣を入出するテラーキャッシャー等に本発明を適用しても良い。
【００９２】
さらに上述した実施の形態においては、読取部としての記番号読取部４０と、識別部としての記番号情報生成部４２と、登録部としての記番号情報登録部４４とによって、紙幣処理装置としての紙幣入出金機１０を構成する場合について述べた。本発明はこれに限らず、その他種々の構成でなる読取部と、識別部と、登録部とによって、紙幣処理装置を構成しても良い。
【産業上の利用可能性】
【００９３】
本発明は、紙幣の記番号を判別し管理する種々の装置でも利用できる。
【符号の説明】
【００９４】
１……現金自動取引装置、２……筐体、３……接客部、４……カード入出口、５……入出金口、６……操作表示部、７……テンキー、８……レシート発行口、９……主制御部、１０……紙幣入出金機、１２……制御部、１４……記憶部、１６……入出金部、１８……鑑別部、２０……一時保留部、２２……取忘れ庫、２４……搬送部、２６……紙幣収納庫、２８……リジェクト庫、３０……記憶部、４０……記番号読取部、４２……記番号情報生成部、４４……記番号情報登録部、４６……紙幣照合部、ＢＬ……紙幣、Ｐ１……第１記番号位置、Ｐ２……第１記番号位置、ＩＤ１……第１記番号、ＩＤ２……第２記番号、ＬＩＩＤ……記番号情報リスト、ＩＩＤ……記番号情報、ＩＩＤＣ……共通記番号情報、ＩＩＤＳ……個別記番号情報、ＬＩＩＤ１……第１絞込記番号情報リスト、ＬＩＩＤ２……第２絞込記番号情報リスト、ＲＦ……登録形式、ＲＩＤＳ１……登録第１記番号識別結果、ＲＩＤＳ２……登録第２記番号識別結果、ＲＩＤＣ……登録共通記番号識別結果、ＰＣ１……第１記番号画像データ、ＰＣ２……第２記番号画像データ、ＣＩＤ１……推定第１記番号識別結果、ＣＩＤ２……推定第２記番号識別結果。
【図１】
2015191501.tif 000003
【図２】
2015191501.tif 000004
【図３】
2015191501.tif 000005
【図４】
2015191501.tif 000006
【図５】
2015191501.tif 000007
【図６】
2015191501.tif 000008
【図７】
2015191501.tif 000009
【図８】
2015191501.tif 000010
【図９】
2015191501.tif 000011
【図１０】
2015191501.tif 000012